Podtech/llm-jp-corpus-v4-ja_patent huggingface dataset:
(57)【要約】    【課題】感触や風合いを損なわずに暗闇で発光する蓄光性タイルカーペットを提供する。    【解決手段】パイル層（カーペット部２）と裏打ち層（バッキング部１）とを有するタイルカーペットにおける前記裏打ち層に蓄光性繊維からなる糸（４）を植え付け、その糸先を前記パイル層の表面に露出させたものとする。【選択図】図１
0003102483.tif 000002
【実用新案登録請求の範囲】
【請求項１】
パイル層と裏打ち層とを有するタイルカーペットにおける前記裏打ち層に蓄光性繊維からなる糸を植え付け、その糸先を前記パイル層の表面に露出させたことを特徴とする蓄光性タイルカーペット。
【考案の詳細な説明】
【技術分野】
【０００１】
本考案は、暗闇で発光する蓄光性タイルカーペットに関するものである。
【背景技術】
【０００２】
近年、建築物が大型化し、照明が消失すると、通路や階段室などは日中でも殆ど暗闇になるということが珍しくない状況にある。このような建物において、特に地震や火災などの際に停電した場合には真の暗闇となるので、居住者は方向感覚を失う結果、冷静な判断力を失ってパニックを引き起こす恐れがある。
【０００３】
このような問題を解決するために、発光性塗料によって文字、図形、模様、写真等の発光性イメージをタイルカーペットの表面に印刷し、さらに印刷面に透明材質層を設けるようにした床材が提案されている（特開２００２−１４２９５６号公報を参照されたい）。
【特許文献１】特開２００２−１４２９５６号公報
【考案の開示】
【考案が解決しようとする課題】
【０００４】
しかしながらこの従来の技術によると、カーペットとしての折角の感触や風合いが損なわれるという欠点があった。
【課題を解決するための手段】
【０００５】
このような従来技術の問題点を解消し、感触や風合いを損なわずに暗闇で発光する蓄光性タイルカーペットを提供するために、本考案の請求項１は、パイル層（カーペット部２）と裏打ち層（バッキング部１）とを有するタイルカーペットにおける前記裏打ち層に蓄光性繊維からなる糸（４）を植え付け、その糸先を前記パイル層の表面に露出させたことを特徴とするものとした。
【考案の効果】
【０００６】
このような本考案の請求項１の構成によれば、蓄光性繊維の糸をタイルカーペットの基部に植え付けるので、耐久性に富み、繊維材からなるカーペットとしての感触や風合いを損なうことがなく、しかも市販の一般的なタイルカーペットに後加工で蓄光面を形成することができるので、蓄光性タイルカーペットの適用範囲を拡大する上に多大な効果を奏することができる。
【考案を実施するための最良の形態】
【０００７】
以下に添付の図面を参照して本考案について詳細に説明する。
【０００８】
図１は、本考案が適用されたタイルカーペットの断面図である。このタイルカーペットは、例えばＰＶＣなどの合成樹脂材（エラストマ材）などで形成された裏打ち層としてのバッキング部１と、例えばナイロン繊維材をパイル織りするなどして形成されたカーペット部２とを接着剤３で一体化してなるものである。
【０００９】
このタイルカーペットのバッキング部１には、皮革材などにも適用可能なミシンを用い、例えばタフティング刺繍などの手法を利用して蓄光性繊維で形成した糸４が植え付けられている。この植え付けた糸４は、その糸先をカーペット部２の表面に合わせて刈り込むことにより、違和感の無いように仕上げてある。
【００１０】
植え付ける糸としては、粒子の組成の選択自由度が高く、色数のバリエーションも豊富な点に鑑み、適宜な透明樹脂メディウムに微細粉末からなる蓄光材を混入した蓄光インクを天然素材あるいは合成繊維の表面にコーティングしてなるものを選択することが好ましい。
【００１１】
蓄光インクに用いる蓄光材としては、アルカリ土類アルミン酸塩を母体結晶とし、ユウロピウム（Ｅｕ）を賦活剤とし、そしてデスプロシウム（Ｄｙ）、又はネジウム（Ｎｄ）を賦活助剤とした酸化物系蓄光材と、ＣａＳ：Ｂｉ（紫青色発光）、ＣａＳｒＳ：Ｂｉ（青色発光）、ＺｎＳ：Ｃｕ（緑色発光）、ＺｎＣｄＳ：Ｃｕ（黄色〜橙色発光）等の硫化物蛍光体からなる硫化物系蓄光材とが知られているが、これらを適宜に混合することにより、多彩な発光の態様を得ることができる。
【００１２】
これによると、一般的な刺繍の技法を利用して蓄光性繊維で形成した糸４をバッキング部１に植え付ければ良いので、市販のタイルカーペットに後加工で蓄光面を形成することができ、経済的であり、他品種、少量生産に適し、ユーザーの好みに合わせて極めて容易に対応することができる。しかも通常は目立たないが暗闇では浮かび上がるので、タイルカーペットとしての日常使用に違和感のないように仕上げることができる。
【００１３】
糸４を植え付けることで形成する蓄光面のパターンとしては、例えば非常口のマークや、文字、ラインなど、刺繍の技法で形成し得るものであれば、その形態は適宜に選択することが可能である。
【産業上の利用可能性】
【００１４】
本考案に関わる蓄光性タイルカーペットは、オフィスビル、レストラン、病院、劇場、マンションの共用部分などの床材として広汎に利用できる。
【図面の簡単な説明】
【００１５】
【図１】本考案による蓄光性タイルカーペットの要部断面図である。
【符号の説明】
【００１６】
１．バッキング部
２．カーペット部
３．接着剤
４．蓄光性繊維の糸
【図１】
0003102483.tif 000003
(57)【要約】【課題】  使用者が安定に操作でき、また安全にペダル機を踏むことができ、転倒が防止されるステップ機を提供する。【解決手段】  基枠１０及び一対のペダル３０が含まれ、従動体２０は基枠１０に架設され、ペダル３０は従動体２０に枢接され、一対の作動部材３３は従動体２０に枢接され、それにはそれぞれ押当棒３４があって基部１０に押し当り、従動体２０を駆動して基部１０に対して回転することができるステップ機の回転駆動機構である。【選択図】    図１
0003102450.tif 000002
【実用新案登録請求の範囲】
【請求項１】
ステップ機の回転駆動機構であって、基枠（１０）及び一対のペダル（３０）が含まれ、
従動体（２０）は基枠（１０）に架設され、ペダル（３０）は従動体（２０）に枢接され、一対の作動部材（３３）は従動体（２０）に枢接され、それにはそれぞれ押当棒（３４）があって基部（１０）に押し当り、従動体（２０）を駆動して基部（１０）に対して回転可能であることを特徴とするステップ機の回転駆動機構。
【請求項２】
従動体（２０）には軸（２１）があってペダル（３０）を架設し、従動体（２０）には支棒（２２）があって作動部材（３３）の架設に供され、基枠（１０）には座棒（１３）があって押当棒（３４）との押し当てに供され、作動部材（３３）にはそれぞれ延伸材（３５）があり、かつ連接棒（３６）によってペダル（３０）に連接され、更に少なくとも一本のハンドル（４３）が設けられ、更に抵抗部材（３７）が架設されてペダル（３０）の抵抗力を提供することを特徴とする請求項１に記載のステップ機の回転駆動機構。
【考案の詳細な説明】
【技術分野】
【０００１】
本考案はステップ機に係わり、それはステップ機の回転駆動機構に関するものである。
【背景技術】
【０００２】
周知のステップ機のペダルは上下に踏み動かされ、かつ回転することができる。
【考案の開示】
【考案が解決しようとする課題】
【０００３】
ところが、ペダルを下へ踏み降ろすとステップ機は内側へ移動し、使用者はそのために傾いて転ぶことがある。
そこで、本考案の目的は、転倒が防止されるステップ機を提供することにある。
【課題を解決するための手段】
【０００４】
上記課題を解決するための本考案のステップ機の回転駆動機構は、基枠及び一対のペダルが含まれ、従動体は基枠に架設され、ペダルは従動体に枢接され、一対の作動部材は従動体に枢接され、それにはそれぞれ押当棒があって基部に押し当り、従動体を駆動して基部に対して回転することができる。
【考案を実施するための最良の形態】
【０００５】
本考案の実施例は基枠１０を含み、従動体２０は軸心１１によって基枠１０までに架設され、従動体２０には一本または一対の軸２１と一本または一対の支棒２２とがある。基枠１０には突起部１２があって一本または一対の座棒１３が設けられ、一つまたは一対の敷塊１４は座棒１３までに架設される。一対のペダル３０の前端３１は軸棒２１に枢接され、それぞれ敷片３２が設けられて使用者を支えることに供される。ペダル３０または敷片３２は地面と平行かまたは少々傾斜している。
【０００６】
一対の作動部材３３は支棒２２まで枢接され、それにはそれぞれ押当棒３４があり、基部１０の座棒１３に押し当たって従動体２０を駆動し、基部１０に対して回転することができる（図３〜図１０）。作動部材３３にはそれぞれ延伸材３５が伸出され、連接棒３６によってペダル３０に連接され、ペダル３０は作動部材３３を駆動して支棒２２に対して回転することができ、並びに押当棒３４を回転させて基部１０の座棒１３に押し当り、従動体２０を駆使して基部１０に対して回転させ、従動体２０およびペダル３０は基部１０に対して回転することができる。基部１０の座棒１３は傾斜状に現れ、または基部１０の一部であってもよい。一つまたは一対の抵抗部材３７はペダル３０までに連接されて抵抗力を提供する。各抵抗部材３７は各ペダル３０と支棒２２の間に連結される。
【０００７】
操作時、ペダル３０が下へ踏まれると、押当棒３４は基部１０または座棒１３押し当り、従動体２０を駆使して基部１０に対して回転し、かつペダル３０を基部１０の外側へ移動させ、使用者は安定に操作でき、また安全にペダル機を踏むことができる。
一つまたは一対の架体４０はブラケット４１を利用して支棒２２に枢接され、各架体４０には嵌付孔４２があってハンドル４３の選択差込みに供され、使用者の上半身を支える。架体４０とハンドル４３は必要に応じて増やし、子供または初心者に使用されるが、熟練者はハンドル４３を使わなくてもよい。
【図面の簡単な説明】
【０００８】
【図１】本考案の一実施例によるステップ機の回転駆動機構を示す外観斜視図である。
【図２】本考案の一実施例によるステップ機の回転駆動機構を示す部分分解図である。
【図３】本考案の一実施例によるステップ機の回転駆動機構を示す図である。
【図４】本考案の一実施例によるステップ機の回転駆動機構を示す図である。
【図５】本考案の一実施例によるステップ機の回転駆動機構を示す部分側面図である。
【図６】本考案の一実施例によるステップ機の回転駆動機構を示す部分側面図である。
【図７】本考案の一実施例によるステップ機の回転駆動機構を示す正面図である。
【図８】本考案の一実施例によるステップ機の回転駆動機構を示す正面図である。
【図９】本考案の一実施例によるステップ機の回転駆動機構を示す図である。
【図１０】本考案の一実施例によるステップ機の回転駆動機構を示す図である。
【図１１】本考案の一実施例によるステップ機の回転駆動機構を示す図である。
【図１２】本考案の一実施例によるステップ機の回転駆動機構を示す図である。
【符号の説明】
【０００９】
１０  基枠、２０  従動体、１１  軸心、２１  軸、２２  支棒、１２  突起部、１３  座棒、３２  敷片、３０  ペダル、３３  作動部材、３４  押当棒、３５  延伸材、３６  連接棒、３７  抵抗部材、４０  架体、４１  ブラケット、４２  嵌付孔、４３  ハンドル
【図１】
0003102450.tif 000003
【図２】
0003102450.tif 000004
【図３】
0003102450.tif 000005
【図４】
0003102450.tif 000006
【図５】
0003102450.tif 000007
【図６】
0003102450.tif 000008
【図７】
0003102450.tif 000009
【図８】
0003102450.tif 000010
【図９】
0003102450.tif 000011
【図１０】
0003102450.tif 000012
【図１１】
0003102450.tif 000013
【図１２】
0003102450.tif 000014
(57)【要約】【課題】  残光輝度、残光時間にすぐれ、注意喚起力を促し、夜間・暗闇で危険な箇所での設置使用が可能であり、シート材可撓性素材を使用することにより、例えば、電柱等の曲線にも沿って貼着できる注意喚起シート材を開発・提供することにある。【解決手段】  合成ゴムあるいは軟質樹脂を素材とし、所定の長さと所定の幅を有する本体（１）を設け、該本体（１）の表面には溝部（２）を複数条形成し、かつ、本体（１）の表面には、透明なゴム塗料又は透明な樹脂塗料に蓄光性蛍光体を混入した塗料（３）を塗布し、本体（１）の裏面には、接着剤を塗布して接着層（４）を設け、該接着層には剥離シート（５）を貼着したことを特徴とする注意喚起シート材。【選択図】        図１
0003102418.tif 000002
【実用新案登録請求の範囲】
【請求項１】
合成ゴムあるいは軟質樹脂を素材とし、所定の長さと所定の幅を有する本体（１）を設け、該本体（１）の表面には溝部（２）を複数条形成し、かつ、本体（１）の表面には、透明ゴム塗料又は透明樹脂塗料に蓄光性蛍光体を混入した塗料（３）を塗布し、本体（１）の裏面には、接着剤を塗布して接着層（４）を設け、該接着層には剥離シート（５）を貼着したことを特徴とする注意喚起シート材。
【請求項２】
溝部（２）の断面形状が、Ｖ字状、Ｕ字状、コ字状、半円状のいずれかの形状から選ばれたものであることを特徴とする請求項１記載の注意喚起シート材。
【考案の詳細な説明】
【技術分野】
【０００１】
この考案は、注意喚起シート材に関するものである。
【背景技術】
【０００２】
従来、屋外で使用する保安用品等には、反射シートや蛍光塗料を使った製品があった。      
【０００３】
しかし、外部からの光源がなければ光らなかった。
【考案の開示】
【考案が解決しようとする課題】
【０００４】
そこでこの考案は、外部からの光源がなくても、日中、光を取り込み発光するので、注意喚起力を促し、夜間・暗闇で危険な箇所での設置使用が可能であり、シート材可撓性素材を使用することにより、例えば、電柱等の曲線にも沿って貼着できる注意喚起シート材を開発・提供することにある。
【課題を解決するための手段】
【０００５】
この考案は、合成ゴムあるいは軟質樹脂を素材とし、所定の長さと所定の幅を有する本体（１）を設け、該本体（１）の表面には溝部（２）を複数条形成し、かつ、本体（１）の表面には、透明ゴム塗料又は透明樹脂塗料に蓄光性蛍光体〔商標名：ルミノーバ（根本特殊化学株式会社製）〕を混入した塗料（３）を塗布し、シート材の蓄光性蛍光体の塗布面積を拡大する構成とし、本体（１）の裏面には、接着剤を塗布して接着層（４）を設け、該接着層（４）には剥離シート（５）を貼着したことを特徴とする注意喚起シート材から構成するものである。
【考案の効果】
【０００６】
この考案によると、本体（１）を合成ゴムあるいは軟質樹脂を素材としており、しかも、該本体（１）の表面には溝部（２）を複数条形成しており、本体の表面積が拡大されており、これら表面に、透明ゴム塗料に蓄光性蛍光体を混入した塗料（３）を塗布することにより、多量の塗布面積が拡大でき、それにより、残光輝度や残光時間が増えて、より注意喚起することができ、また、平面状のものに比べて、踏んだりしても剥げにくい。
【０００７】
さらに、本体（１）は、合成ゴムあるいは軟質樹脂を素材としており、種々の形状にフィットさせて貼着することが可能であり、室内での箇所はもちろん、外部の、例えば、道路、コンクリートの床面・壁面、ガードレール、電柱等の様々な場所に固定できる等の極めて有益なる効果を有するものである。
【考案を実施するための最良の形態】
【０００８】
この考案の最良の一実施例としては、合成ゴムあるいは軟質樹脂を素材とし、所定の長さと所定の幅を有する本体（１）を設け、該本体（１）の表面には溝部（２）を複数条形成し、かつ、本体（１）の表面には、透明なゴム塗料または透明な樹脂塗料に蓄光性蛍光体を混入した塗料（３）を塗布し、本体（１）の裏面には、接着剤を塗布して接着層（４）を設け、該接着層には剥離シート（５）を貼着したことを特徴とする注意喚起シート材から構成される。
【０００９】
そして、本体（１）に塗布された透明なゴム塗料又は透明な樹脂塗料に蓄光性蛍光体を混入した塗料（３）には、表面保護のため、コーティング材を塗布する。また、本体（１）は、あらかじめ、使用目的に応じた寸法のものであってもよく、大きなものをカットして使用するようにシート材に形成してもよいものであり、該シート材の長さや幅の寸法は、特に限定しない。
【００１０】
尚、透明なゴム塗料又は透明な樹脂塗料に混入する蓄光性蛍光体とは、具体的には、〔商標名：ルミノーバ（根本特殊化学株式会社製）〕であり、夜間・暗闇で長時間発光する塗料である。そして、透明なゴム塗料又は透明な樹脂塗料は、本体（１）の着色を、白色又はそれに準ずる色にすることにより、蓄光性蛍光体（夜光顔料）の輝度が増すものである。
【００１１】
さらに、溝部（２）の断面形状は、図４に示すように、Ｖ字状、Ｕ字状、コ字状、半円状のいずれかの形状から選ばれたものである。
【産業上の利用可能性】
【００１２】
この考案は、注意喚起シート材の製造技術を確立することにより、また、日常の生活から、夜間・暗闇での安全に寄与する点で産業上の利用可能性を有する。
【図面の簡単な説明】
【００１３】
【図１】この考案の一実施例を示す斜視図である。
【図２】この考案の一実施例を示す正面図である。
【図３】この考案の一実施例を示す拡大側面図である。
【図４】（ａ）（ｂ）（ｃ）（ｄ）は、それぞれこの考案の一実施例に使用する溝の各拡大断面図である。
【符号の説明】
【００１４】
１  本体
２  溝部
３  塗料
４  接着層
５  剥離シート
【図１】
0003102418.tif 000003
【図２】
0003102418.tif 000004
【図３】
0003102418.tif 000005
【図４】
0003102418.tif 000006
(57)【要約】【課題】  Ｕターン時の制御性が向上したキックボードを提供する。【解決手段】  ハンドル中空管１、ならびに底部に設置されたフロントフォーク２及び車輪台３から構成され、フロントフォーク２周辺縁から後方へ支持桿４が伸び、支持桿４後端には後輪５が枢設される。更に支持桿４上にはボード６が設置され、キックボード構造が完成する。そのうち、車輪台３は車輪軸３１、緩衝套管３２及び台体３３を含み、ネジ及びナット３５で固定する。車輪軸３１両側にはそれぞれ二つのローラー３１１が枢設され、中段箇所ではネジが台体３３及び弾性を具えた緩衝套管３２の二個に挿し込まれ、ナット３５で固定される。また台体３３最上面とハンドル中空管１底部のフロントフォーク２とは相互に連接し、ハンドル中空管１底部に間接的に枢設すると、ハンドル中空管１は自在に操縦できる。【選択図】    図１
0003102457.tif 000002
【実用新案登録請求の範囲】
【請求項１】
ハンドル中空管底部にフロントフォーク及び車輪台が設置され、フロントフォーク周辺縁から後方へ支持桿が伸び、支持桿後端には後輪が枢設され、支持桿上にボードが設置されるキックボードにおいて、
車輪軸、緩衝套管、台体、ネジ及びナットから構成される車輪台は、車輪軸両側にそれぞれローラーが枢設され、中段にはネジが台体及び緩衝套管に挿し込まれてナットで固定され、台体とハンドル中空管底部のフロントフォークとが相互に連接することを特徴とするキックボード。
【考案の詳細な説明】
【技術分野】
【０００１】
本考案は、キックボードに関するものであり、特にスケートボードに似たトーション及び弾性を具え、Ｕターン時に安定し、且つ制御しやすいキックボードに関するものである。
【背景技術】
【０００２】
今日、キックボードは体積が軽くなり、折畳みもしやすく機動性の高いものになり、そして広く普及した。キックボードは、従来のスケートボードを改良したものであり、主な構造は、スケートボード上にハンドルを設置し、ハンドル底部に前輪を設置し、ハンドル周辺から後方にフロントフォークが伸び、ボードを支えている。またボード後端に後輪を設置して二輪式キックボードが完成する。キックボードの構造部品が増えるに従い、反対に速度は限られるようになり、そしてスケートボードに元々ある高難度の動作変化性は薄れ、キックボードの元々あった機能性は減少した。そして子供の遊具になってしまい、消費者の購入意欲を削ぎ、徐々に淘汰の危機に近づいている。
【０００３】
また、よく見かける二輪式キックボード構造は、走行時、前輪と後輪を支点とし、ハンドルで前輪の回転をコントロールしている。そのため、走行中Ｕターンする場合、操作者はハンドルで前輪の方向を変更し、キックボード全体の重心を横に傾ける。そのため、前輪が僅かでも地面に接触すると、車体が転覆してしまい、車体の制御性が良くない。
【考案の開示】
【考案が解決しようとする課題】
【０００４】
本考案の目的は、高難度の動作変化性が薄れ、且つＵターン時の制御性が良くないという従来の問題点を解決したキックボードを提供することである。
【課題を解決するための手段】
【０００５】
本考案は、ハンドル中空管底部にフロントフォーク及び車輪台を設置して車体を構成する。フロントフォーク周辺縁からは後方へ支持桿が伸び、支持桿後端には後輪が枢設され、更に支持桿上にボードが設置される。そのうち、車輪軸、緩衝套管、台体、ネジ及びナットから構成される車輪台は、車輪軸両側にそれぞれローラーが枢設され、中段にはネジが台体及び緩衝套管に挿し込まれてナットで固定され、台体とハンドル中空管底部のフロントフォークとが相互に連接することを最も主要な特徴とする。
【０００６】
本考案のキックボードは、ハンドル中空管をＵターンさせると同時に車輪台が操作制御され、車輪台内部の緩衝套管によって弾性が具わり、制御性が向上するという利点がある。
【考案を実施するための最良の形態】
【０００７】
図１、図２に示すとおり、本考案の一実施例によるキックボードは、ハンドル中空管１、ならびに底部に設置されたフロントフォーク２及び車輪台３から構成され、フロントフォーク２周辺縁から後方へ支持桿４が伸び、支持桿４後端には後輪５が枢設される。更に支持桿４上にはボード６が設置され、本実施例のキックボード構造が完成する。そのうち、車輪台は車輪軸３１、緩衝套管３２及び台体３３を含み、ネジ３４及びナット３５で固定する。車輪軸３１両側にはそれぞれ二つのローラー３１１が枢設され、中段箇所ではネジ３４が台体３３及び弾性を具えた緩衝套管３２の二個に挿し込まれ、ナット３５で固定される。また台体３３最上面とハンドル中空管１底部のフロントフォーク２とは相互に連接し、ハンドル中空管１底部に間接的に枢設すると、ハンドル中空管１は自在に操縦できる。
【０００８】
使用時、使用者はハンドル中空管１を回転して車輪台３を回転し、Ｕターンする時、図３に示すとおり、ハンドル中空管１は使用者がかけた重心に従って横に傾斜する。車輪台３はハンドル中空管１の動きに従い、台体３３上に止めてあるネジ３４が、その上の緩衝套管３２に僅かな圧力をかける。この時、車輪台３の二つのローラー３１１は安定しており、車輪台３内の弾性を具えた緩衝套管３２によって、キックボードがＵターンする時に弾性とトーションが生まれ、自在に操作できる。
【図面の簡単な説明】
【０００９】
【図１】本考案の一実施例によるキックボードを示す立体分解図である。
【図２】本考案の一実施例によるキックボードを示す組立断面図である。
【図３】本考案の一実施例によるキックボードのＵターン時作動を示す模式図である。
【符号の説明】
【００１０】
１  ハンドル中空管、２  フロントフォーク、３  車輪台、４  支持桿、５  後輪、６  ボード、３１  車輪軸、３２  緩衝套管、３３  台体、３４  ネジ、３５  ナット、３１１  ローラー
【図１】
0003102457.tif 000003
【図２】
0003102457.tif 000004
【図３】
0003102457.tif 000005
(57)【要約】【課題】耳を体温以外の熱源で温めることができ、しかも、暖かい所では逆に耳を涼しくすることのできる耳当て付き帽子を提供することである。【解決手段】  頭部を覆うクラウン１に耳当て３を折返し可能に設けてある耳当て付き帽子において、耳当て３に、シート状の保冷剤６又は保温剤を出し入れ可能なポケットＰを有することを特徴とする。クラウン１の前側や後側に折返し可能な額当て４や首筋当て５を有し、額当てや首筋当てにポケットを有するものでも良い。【選択図】      図１
0003102454.tif 000002
【実用新案登録請求の範囲】
【請求項１】
頭部を覆うクラウン（１）に耳当て（３）を折返し可能に設けてある耳当て付き帽子において、
耳当て（３）に、シート状の保冷剤（６）又は保温剤を出し入れ可能なポケット（Ｐ）を有することを特徴とする耳当て付き帽子。
【請求項２】
クラウン（１）の前側に折返し可能な額当て（４）を有し、額当て（４）に、シート状の保冷剤（６）又は保温剤を出し入れ可能なポケット（Ｐ）を有することを特徴とする請求項１記載の耳当て付き帽子。
【請求項３】
クラウン（１）の後側に折返し可能な首筋当て（５）を有し、首筋当て（５）にシート状の保冷剤（６）又は保温剤を出し入れ可能なポケット（Ｐ）を有することを特徴とする請求項１又は２記載の耳当て付き帽子。
【考案の詳細な説明】
【技術分野】
【０００１】
本考案は、耳の外側を覆う耳当てが付いた帽子に関する。なお、ここでの帽子とは、布地などで作られた柔らかいもの、例えばファッション帽子や野球用帽子などに限らず、ヘルメットと言われる硬いものも含まれるものとする。
【背景技術】
【０００２】
従来の耳当て付き帽子は、耳当てが帽子と同じ素材や毛皮等で作られており、耳当てが耳を覆うことによって、外気に耳が直にふれるのを防いでいる。そして、その反射的効果として、体温を元にして耳を温めている。
【０００３】
しかしながら、体温だけでは耳を温める効果としては不十分な場合がある。このような場合、耳を体温以外の熱源で温める必要がある。
【０００４】
また、耳当て付き帽子は、通常、耳当てを帽子の内側に折り返せるようになっており、寒いとき以外にも使用できるようになっている。しかし、耳当てを帽子の内側に折り返すと、その箇所だけ帽子の厚みが増して蒸れやすくなるので、暑い時期や暖かい屋内等で使用するには不向きである。従って、耳当て付き帽子を寒い所だけでなく、暖かい所でも快適に使用できれば、実用性が向上する。つまり、耳当て付き帽子を寒い所では、防寒用として使用し、暖かい所では逆に、耳を涼しくするための手段として使用できることが望まれる。
【考案の開示】
【考案が解決しようとする課題】
【０００５】
本考案は上記実情を考慮して創作されたもので、その目的とするところは、耳を体温以外の熱源で温めることができ、しかも、暖かい所では逆に耳を涼しくすることのできる耳当て付き帽子を提供することである。
【課題を解決するための手段】
【０００６】
本考案は、頭部を覆うクラウンに耳当てを折返し可能に設けてある耳当て付き帽子を前提とする。そして、請求項１の考案は、耳当てに、シート状の保冷剤又は保温剤を出し入れ可能なポケットを有することを特徴とする。
【０００７】
保温・保冷効果を高めるには、耳以外の箇所も保温、保冷すればよい。従って、請求項２の考案のように、クラウンの前側に折返し可能な額当てを有し、額当てに、シート状の保冷剤又は保温剤を出し入れ可能なポケットを有するものでも良い。また、請求項３の考案のように、クラウンの後側に折返し可能な首筋当てを有し、首筋当てにシート状の保冷剤又は保温剤を出し入れ可能なポケットを有するものでも良い。
【考案の効果】
【０００８】
本考案は、耳当てにポケットを付けてあるので、ポケットに保冷剤や保温剤を入れることで、寒いときは保温剤の熱によって耳を暖かくでき、暑いときは保冷剤の熱によって耳を冷やすことができる。従って、寒いときでも暑いときでも帽子を被ることによって快適さが得られることになり、実用性が向上する。また、シート状の保冷剤や保温剤を入れるので、保冷剤等をポケットに入れた状態で帽子を被っても、違和感のない被り心地が得られる。そして、耳当てはクラウンの外側に出した状態で使用すれば、耳を保温・保冷することができるが、クラウンの内側に折り返した状態で使用すれば、頭部を保温・保冷することもできる。
【０００９】
さらに、額当て、首筋当てにもポケットを設けた場合は、保冷剤や保温剤を入れることで、保温効果・保冷効果を一段と向上できる。
【考案を実施するための最良の形態】
【００１０】
本考案の耳当て付き帽子は図１、図２に示すように、頭部を覆うクラウン１につば２が付いているタイプは勿論、それ以外のタイプにも使用できる。
【００１１】
クラウン１の左右側方には耳当て３を、前側には額当て４を、後側には首筋当て５をそれぞれ折返し可能（クラウン１の内側に沿わせられるよう）に設けてある。耳当て３の内側にはポケットＰを有し、図２に示すように開いたポケットＰの上側からシート状の保冷剤６又は保温剤を出し入れ可能にしてある。そして、保冷剤６等が何等かの原因によって飛び出さないように、ポケットＰの上部と耳当ての対応する箇所には、面ファスナー７を設けてある。なお、額当て４、首筋当て５も同様にポケットＰを有する。
【００１２】
シート状の保冷剤６としては、生鮮食料品等に添付されているものが一例として挙げられる。また、シート状の保温剤としては、株式会社白元の販売している商品名、ホッカイロ（登録商標）が一例として挙げられる。
【００１３】
上述した耳当て付き帽子は、耳当て等のポケットＰにシート状の保冷剤６又は保温剤を入れて使用する。帽子の被り方は、図３に示すように、額が僅かに露出する被り方を基本の被り方Ａ−Ａとすれば、後に傾斜させる浅い被り方Ｂ−Ｂや、眉毛にかかる程度の深い被り方Ｃ−Ｃがある。従って、深い被り方Ｃ−Ｃの場合には、額当て４はクラウン１の内側に沿わせて折り返した状態で使用すれば額に当たるし、浅い被り方Ｂ−Ｂの場合には、図１に示すように額当て４をクラウン１の外側に露出させた状態で使用すれば額に当たる。なお、額当て４は、視界を遮らないように耳当て３よりも縦幅を短く形成してある。また、深い被り方Ｃ−Ｃの場合には、首筋当て５は露出させた状態で使用すれば首筋というよりはむしろ後頭部に当たる状態となり、基本の被り方Ａ−Ａや浅い被り方Ｂ−Ｂの場合には露出させた状態で使用すれば、首筋に直に当たる状態となる。
【図面の簡単な説明】
【００１４】
【図１】本考案の耳当て付き帽子を示す斜視図である。
【図２】本考案の耳当て付き帽子の断面図である。
【図３】帽子の被り方を示す図面である。
【符号の説明】
【００１５】
１  クラウン
３  耳当て
４  額当て
５  首筋当て
６  保冷剤
Ｐ    ポケット
【図１】
0003102454.tif 000003
【図２】
0003102454.tif 000004
【図３】
0003102454.tif 000005
(57)【要約】      （修正有）【課題】自動車用電球、及び受け端子を同時に、ホルダーの正しい位置に組み込む装置を提供する。【解決手段】電球外形より少し大きな内径の金属ガイドパイプ１０の内側に電球挿入用の緩衝材９を相当な高さに固定し、シリンダー１１の下降により電球を緩衝材で又、端子をパイプの先端１４でホルダー７に押し込み、ホルダーの定位置にセットさせる。【選択図】図２
0003102720.tif 000002
【実用新案登録請求の範囲】
【請求項１】
内径が電球外形より少し大きい電球押し込み用緩衝剤入り金属パイプを用い、端子受けホルダーにＴ１０自動車用電球、及び電球受け端子を同時且つ確実セットする装置、並びに方法。
【考案の詳細な説明】
【考案の詳細な説明】
【考案が解决しようとする課題】
【００１】  端子、及び電球を、ハウジングに同時且つ確実にセット、ロックする。
【課題を解決する手段】
【００２】  電球の外形より少し大きい内径を持つ金属製パイプの先端で端子をハウジングに挿入する。又、電球は端子にセットされる高さに合わせ、パイプ内部にウレタン等で突き当てを設ける。
【考案の効果】
【００３】  従来の当該作業は、端子挿入と電球セットが別々の作業であり、特に電球の端子へのセットは手作業で行っていたため、挿入の際、端子を変形させてしまい、正しい位置にセットされない場合があり、不良発生の要因になっている。又、当該タイプの端子も手挿入が主流であるため、ハウジングへのロック不完全を多発させている。当該方法を使えば、当該作業の標準化が可能。不良発生要因をも排除でき、且つ作業時間を大幅に短縮できる。
【図面の簡単な説明】
【図１】Ｔ１０電球と受け端子、及び端子ホルダーの詳細図である。
【図２】パイプの下降で電球及び端子をホルダーに装着する。
【符合の説明】
１‥Ｔ１０自動車用電球  ２‥Ｔ１０電球を上から見た図。３‥バルブ受け端子４‥右側受け端子。５‥端子スプリングフック。６‥バルブに端子がセットされた様子。７‥端子ホルダー。８‥端子フックスプリングがホルダーにロックされた様子。９‥バルブ挿入用ウレタン。１０‥電球ガイドパイプ。１１‥駆動シリンダー。１２‥ホルダー受け冶具。１３‥端子上部  １４‥パイプ先端。
【図１】
0003102720.tif 000003
【図２】
0003102720.tif 000004
【手続補正書】
【提出日】平成16年1月28日(2004.1.28)
【手続補正１】
【補正対象書類名】実用新案登録請求の範囲
【補正対象項目名】全文
【補正方法】変更
【補正の内容】
【実用新案登録請求の範囲】
【請求項１】
内部に電球破損、及び位置ずれ防止用の緩衝材を有した、内径が電球外形より少し大きい真円形金属パイプで端子受けホルダーにＴ１０自動車用電球、及び電球受け端子を同時且つ確実にセット（ロック）する装置。
(57)【要約】      （修正有）【課題】建築用材に彫刻石材を多用することなく、石材を使用する建築物の壁面、床面を手軽に装飾することにより石材の使用拡大を計る。【解決手段】部分的に点彫した無着色の石材及び点彫して着色した石材を組み合わせて壁面、床面を構成する。【選択図】図１
0003102719.tif 000002
【実用新案登録請求の範囲】
【請求項１】
点彫により絵及び模様を描いた石材を組み合わせて大画面を構成すること。
【請求項２】
石材の自然色と着色を組み合わせて大画面を描くこと。
【考案の詳細な説明】
【考案の詳細な説明】
【技術分野】
【０００１】本考案は建築材料としての石材に点彫による絵及び模様を描き部分的に着色し自然色の石材と組み合わせて大画面を構成すいるものである。
【背景技術】
【０００２】石材に点彫着色した石版画は存在する。
例えば干支の動物画と数字を組み合わせた石版暦、風景を描いた石版画の様なものが存在するが、小寸法である。彫刻による大画面は古来から存在する。
石材の壁面に絵の具やペイントを塗布した壁画も存在する。
【考案が解決しようとする課題】
【０００３】彫刻石材による大画面は構造が大掛かりになり工期が長くなり経費も多額となる。
【０００４】絵の具やペイントを塗布した壁画は素材の特徴を隠してしまうので石材を使用する建築物の持ち味が生かされなくなる。
【０００５】本考案は従来の技術の問題点を解決し、石材を使用する建築物の壁面、床面を手軽に装飾することにより石材の使用拡大を計るものである。
【課題を解決するための手段】
【０００６】本考案は石材が本来有する色を部分的に生かしながら、部分的に点彫した無着色の石材及び点彫して着色した石材を組み合わせて壁面、床面を構成することにより、彫刻石材の使用より短い工期と少ない経費で建築物の壁面、床面を装飾するものである。
【考案を実施するための最良の形態】
【実施例】
【０００７】考案の実施の例を図面を参照して説明する。
図１は建物の壁面で横３，０００ｍｍ  高さ３，０００ｍｍを想定し、本考案により桜樹を描くものとする。素材は６００ｍｍｘ６００ｍｍｘ厚み３０ｍｍの板石とする。
上部四段１〜２０はピンクの板石で面積の大部分に桜の花弁の輪郭を点彫し、一部に着色して陰影を付け、幹枝を描いた部分  １３、１８、２３は茶色、黒色に着色し、空の部分１〜５は青く着色して満開の桜樹を表現する。下部一段２１〜２５は緑色の板石に芝生、草花を描き装飾性を増す。
【考案の効果】
【０００８】加工、運搬、取付工事共に容易な寸法の石材に点彫で装飾し、これを組み合わせることにより大画面を構成できる。彫刻石材の使用より短い工期と少ない経費で建築物を装飾することができる。
これにより耐久性に優れた石材の建築用材としての使用拡大を計ることができる。
【図面の簡単な説明】
【図１】建物壁面の正面図で、３，０００ｍｍｘ３，０００ｍｍを６００ｍｍｘ６００ｍｍ板石２５枚で構成する図である。
【図１】
0003102719.tif 000003
【手続補正書】
【提出日】平成16年1月14日(2004.1.14)
【手続補正１】
【補正対象書類名】実用新案登録請求の範囲
【補正対象項目名】全文
【補正方法】変更
【補正の内容】
【実用新案登録請求の範囲】
【請求項１】
点彫による絵及び模様を描いた石材を組み合わせて得られる大画面。
【請求項２】
石材の自然色と着色を組み合わせて得られる大画面。
(57)【要約】      （修正有）【課題】食品容器のトップシールの熱処理等による変形を防止する簡易で効果あるリブ付き食品容器を提供する。【解決手段】豆腐の容器１のトップシール用鍔２の側面にリブ４を取りつけ、平面強度を立面応力で補強し鍔の補強による変形防止等に効果ある方策であり、商品力向上に貢献する。【選択図】図２
0003102713.tif 000002
【実用新案登録請求の範囲】
【請求項１】
食品容器の上部のトップシール用鍔の側面にリブを取りつけ、特に食品のトップシール後に行われる熱処理滅菌等によるトップシール面の変形、フィルムの剥がれ等を防止することを特徴とするトップシール包装。
【請求項２】
容器の材質は安全で、産業廃棄物対策として燃焼時有害ガスを発生しないポリプロピレン（ＰＰ），硬質ポリエチレン，紙類，天然物繊維類等を含むものとする。
【考案の詳細な説明】
【技術分野】
【０００１】  豆腐・煮豆、その他の総菜類等の食品を
【請求項２】
に示す容器に充填し、ポリプロピレン，ポリエチレン，ポリエステル等の無公害で安全なプラスチック、フィルムの単層或いは多層のフィルムでトップシールし、滅菌可能な消費者の便宜と衛生的貯蔵が可能な食品包装技術に関するものである。
【背景技術】
【０００２】  トップシール方式の食品容器の場合、トップシール用鍔は一般に肉薄のため熱処理等により反ったり変形する弊害があり、商品価値を損ねる場合が多かった。
【考案の開示】
【０００３】
【考案が解決しようとする課題】
【０００４】  鍔が熱により反らない様にするには、鍔を厚くするか、材質を変えるか、何れかの対策が必要となるが、省資源及び安全性の面で問題があり、現状の厚さと材質のまま撓みを防ぐ簡易な力学的補強方法を考えて見る。
【課題を解決するための手段と考案の効果】
【０００５】  リブ（ｒｉｂ）とは肋材の事で水平強度の弱さを縦方向の肋材で補強するもので力学的にも理論的裏付けがあり、
【図２】
に示す仕様のリブの取付により
【請求項１】
に記載した問題点を解決することが出来た。
【産業上の利用可能性】
【０００６】  当考案は食品容器の包装に巾広く利用可能であるが、特に豆腐について当社では、従来容器をリブ付容器のトップシール方式に切り替えつつあり、品質保証並びに商品力向上に大きく貢献している。
【図面の簡単な説明】
【０００７】
【図１】従来の豆腐容器とトップシールの見取り図
【図２】リブ付豆腐容器とトップシールの見取り図
【符号の説明】
【０００８】１．豆腐は容器
２．トップシールの鍔
３．トップシールのフィルム
４．トップシールのリブ
【図１】
0003102713.tif 000003
【図２】
0003102713.tif 000004
【手続補正書】
【提出日】平成15年10月30日(2003.10.30)
【手続補正１】
【補正対象書類名】実用新案登録請求の範囲
【補正対象項目名】全文
【補正方法】変更
【補正の内容】
【実用新案登録請求の範囲】
【請求項１】
食品容器の上部のトップシール用鍔の側面にリブを取りつけ、特に食品のトップシール後に行われる熱処理滅菌等によるトップシール面の変形、フィルムの剥がれ等を防止することを特徴とするリブ付食品容器
【請求項２】
容器の材質は安全で、産業廃棄物対策として燃焼時有害ガスを発生しないポリプロピレン（ＰＰ）、硬質ポリエチレン、紙類、天然物繊維等を含むリブ付食品容器
【手続補正書】
【提出日】平成16年1月29日(2004.1.29)
【手続補正１】
【補正対象書類名】実用新案登録請求の範囲
【補正対象項目名】全文
【補正方法】変更
【補正の内容】
【実用新案登録請求の範囲】
【請求項１】
食品容器の上部のトップシール用鍔の側面にリブを取りつけ、特に食品のトップシール後に行われる熱処理滅菌等によるトップシール面の変形、フィルムの剥がれ等を防止することを特徴とするリブ付食品容器
【請求項２】
容器の材質は安全で、産業廃棄物対策として燃焼時有害ガスを発生しないポリプロピレン（ＰＰ）、硬質ポリエチレン、紙類、天然物繊維等を含む請求項１に記載のリブ付食品容器
(57)【要約】      （修正有）【課題】土のう袋を積上げる時、従来型の土のう袋では形状が不揃いである上、土のう同士の結束に於いては上部の紐のみで結束する為、安定性がない。土のう袋の形状を一定にする事により、安定性・強度・施工能率の向上ができる角形連結式土のう袋を提供する。【解決手段】土のう袋の両側面（長手方向）に紐を縫いこみ、連結用の紐を取り付ける。袋の口は、ミシンによる縫合。【選択図】図２
0003102715.tif 000002
【実用新案登録請求の範囲】
【請求項１】
災害復旧や土木工事に利用されている土のう袋は、シール口を巾着状に縛って使用するが、形状が不揃いで安定的ではない。土のうを整然と安定的に積上げて安定させる為に、土のう袋のシール口とは直角方向で、両側端の長手方向に長めで腐食強度に耐える紐を縫いこんで、四隅がそれぞれ隣り合った土のう袋を、連結固定できることを特徴とする土のう袋の構造。
【考案の詳細な説明】
【背景技術】今までの土のう袋は、シール口を巾着状に閉める構造のものであり、施工する場合は土のう同士を結合する方法として、巾着状に締めた土のうの口同士を絡めて縛ったり、予め土のう袋の底辺部分をミシンで縫いつけたものをペアで利用していた。
この方法では一方向の隣同士は結束できても、四方向の連結は出来ない。
一方向の結束だけでは不安定であり、強度的にも不安があった。
【考案が解決しようとする課題】
災害復旧や土木工事に利用されている土のう袋は、シール口を巾着状に縛って使用するが、形状が不揃いで安定的でなく、強度的にも不安がある。
施工上に容易さと施工構造物の安定性・強度などの施工性能を確保する為、土のう袋の両端に長めの紐を縫いこむことにより、四方向（周囲の）土のう同士の角を連結して固定出来る構造を持った土のう袋が、優れた施工性能を発揮する工法を可能にする。
【産業上の利用分野】
斜面崩壊の保全対策など保全工事や、災害復旧工事建築物基礎補強工事に用いる土のうの性能上、本考案の土のう袋の構造とシール口のミシン縫いによる整った長方形の形状は施工上の容易さと施工構造物の安定性・強度や施工性能に優れたものになり得るものである。
【図１】
0003102715.tif 000003
【図２】
0003102715.tif 000004
【手続補正書】
【提出日】平成16年1月14日(2004.1.14)
【手続補正１】
【補正対象書類名】実用新案登録請求の範囲
【補正対象項目名】全文
【補正方法】変更
【補正の内容】
【実用新案登録請求の範囲】
【請求項１】
土のうを整然と安定的に積上げて安定させる為に、土のう袋のシール口とは直角方向で、両側端の長手方向に長めで腐食強度に耐える紐を縫いこんで、四隅がそれぞれ隣り合った土のう袋を、連結固定できることを特徴とする土のう袋の構造。
【手続補正２】
【補正対象書類名】明細書
【補正対象項目名】全文
【補正方法】変更
【補正の内容】
【考案の詳細な説明】
【背景技術】
【０００１】土のう袋は、シール口を巾着状に閉める構造。出来上がり形状が一定しない。
【考案が解決しようとする課題】
【０００２】土のう袋は、シール口を巾着状に縛って使用するが、形状が不揃いである。形状を一定化させ、土のうの積上げを容易にする。
【産業上の利用分野】
【０００３】地盤強化。
災害復旧。
【図面の簡単な説明】
【０００４】
【図１】従来形（市販品）で土のうを作った場合の形状。土のうの充填材料を入れた後、紐をひっぱて口を閉じその紐で袋の上部を２〜３回しっかりと巻きつけて仕上げる。
【図２】考案の角形土のう袋。土のう袋の閉じ口に紐は無く、ミシンにより縫合。左右につけた紐は重ねて積上げる時、土のうが滑ったり、崩れるのを防止する為、前後左右隣り合った袋と袋を結び合わせる。
(57)【要約】      （修正有）【課題】脱着が簡単な上に後方確認の為の視界を妨害せず運転上安全で、廉価であり、平面シートの防寒防水面を解消するトラックの荷台を提供する。【解決手段】ホロは主要支持枠部品を１個に押さえる事により脱着の面倒を取り省き、運転席後部壁とホロをホロ布で仕切る事により防塵防水力を高めるもので、部品の少なさ構造の単純さにより製造コストも低く押さえる事が出来るものである。【選択図】図2
0003102717.tif 000002
【実用新案登録請求の範囲】
【請求項１】
下向きコの字型構造の両下端に凹部を持つホロ支持枠は、その両下端の凹部をトラックの荷台左右サイドドア運転席側上部にはめ込んでトラック荷台を跨ぐ形で架設するものであり、このホロ支持枠に被せるホロは、ホロ支持枠とトラック荷台を外側から覆うものであり、尚且つホロ前側では、ホロ支持枠上部からトラック荷台床面までを覆うものである。前記記載のホロ支持枠とホロで構成するトラック用ホロシステム
【考案の詳細な説明】
【技術分野】
【０００１】
本考案はトラック用ホロシステムに関する。
【背景技術】
【０００２】
通常トラックの荷台を覆うホロは、その取り付けの為に多くの支柱あるいは骨組を必要とし、運転席天井部より高い大きなホロをかぶせるので、面倒な人的努力が必要であった。
【０００３】
この為に取り付け取り外しに手間がかかる上に多くの支持枠部品を必要とする事から価格面でも高価にならざるをえなかった。
【０００４】
また運転席天井より高い位置まで荷台を覆う大きなホロは、運転席からの後方確認の為の視界を妨害し運転上の安全に大きな影響を与えていた。
【０００５】
以上の理由で多くのトラックでは、単なる長方形の平面シートで荷台を覆いホロの代用品として使っているのが現状である。
【非特許文献１】ＭＩＴＵＢＩＳＨＩ  ＭＯＴＯＲＳ  ｍｉｎｉｃａｂ  Ａｃｃｅｓｓｏｒｉｅｓ  Ｃａｔａｌｏｇｕｅ  ２００３年９月有効分
【考案の開示】
【考案が解決しようとする課題】
【０００６】
平面シートやホロを使用する目的は、中に入れる品物が風で四散する事や雨などから保護することが主となっているが、従来のホロでは、脱着が面倒な上に後方確認の為の視界を妨害すると言う運転上の安全に問題があり、また高価である。
【０００７】
平面シートでは荷台運転席側後部壁とシートの間で必ず隙間が生じるため、トラックが雨の中を走行するとき、この隙間からの雨水の浸入を防げず荷物が濡れてしまうことになり、防塵防水面で不安がある。
【課題を解決するための手段】
【０００８】
本考案のホロシステムはホロ取り付けの為の骨組みとなる部品は、わずか１つであり、トラックの荷台サイドドアの上部にはめ込む形で取り付ける為に、取り付けを容易に行う事が出来る。
【０００９】
ホロも荷台にシートをかぶせるだけの手間で取り付ける事が出来る。この為従来の技術に比べて格段の容易さでトラック荷台にホロを取り付けることが出来る。
【００１０】
下向きコの字型構造の両下端に凹部を持つホロ支持枠の高さを運転席の後方確認用窓より下の高さにして作成した場合、荷台からの視界はホロ無しの状態の場合と全く変わらなくなり、運転上の安全に影響を与えない。
【００１１】
下向きコの字型構造の両下端に凹部を持つホロ支持枠と運転席後部壁との間には、シート代用時と同様に隙間が出来るが、本考案のホロではホロ支持枠を完全に覆う形でなおかつトラック荷台床面までホロ布を垂らすことにより、雨水のホロ内部への進入を防ぐことが出来る。
【００１２】
本考案のホロシステムは、骨組みとなる部品が従来のホロの骨組みに比べて極端に少なくホロの形状も単純であるために、製造費用も安価になる。
【考案の効果】
【００１３】
本考案のホロシステムは、支持枠部品の数が１個と少なく取りつけ取り外しが簡単である。
【００１４】
平面シートに比べて防塵防水性が高い
【００１５】
部品点数が少ないために製造コストも従来のものと比べて安価である。
【考案を実施するための最良の形態】
【００１６】
図１は、ホロ支持枠を架設した斜視図である。
【００１７】
下向きコの字型支持枠１は、トラック荷台を跨いで荷台の左右ドアに支持枠下端部の凹部をはめ込み、凹部内側の締め付けボルト２で左右ドアを締め付けて固定する事が出来る構造である。
【００１８】
図２は図１の支持枠に図３のホロを被せた斜視図であり、この状態が本考案のトラック用簡易ホロシステムのトラックへのセット状態である。
【００１９】
図３は、ホロ部のみの斜視図であり、図４は、ホロ部の展開図である。
【００２０】
ホロ前部は荷台内側に垂らし、荷台床面に十分届く長さを持っている。この為運転室背面とホロの間の隙間から入る雨水やゴミの侵入に際して荷物への防水防塵効果を飛躍的に高める事が出来る。
【００２１】
支持枠１の高さを運転室後部窓より低くする事で、通常のホロなしの時と全く同じ状態で後方確認が行える
【産業上の利用可能性】
【００２２】
防水防塵機能が高く取り付け取り外しが容易なトラック用ホロであり、部品点数が従来のホロに比べて少ない事から価格も安く出来る為、使用者の労力及び金銭の両面で軽減が期待できる。
【図面の簡単な説明】
【００２３】
【図１】ホロ支持枠をトラック荷台に架設した斜視図である
【図２】ホロを被せた斜視図である。
【図３】ホロ部だけの斜視図である。
【図４】ホロ部展開図である。
【符号の説明】
【００２４】
１    下向きコの字型支持枠
２    下向きコの字型支持枠固定用ボルト
３    ホロ主要部
４    ホロ前垂れ部
【図１】
0003102717.tif 000003
【図２】
0003102717.tif 000004
【図３】
0003102717.tif 000005
【図４】
0003102717.tif 000006
【手続補正書】
【提出日】平成16年2月13日(2004.2.13)
【手続補正１】
【補正対象書類名】実用新案登録請求の範囲
【補正対象項目名】全文
【補正方法】変更
【補正の内容】
【実用新案登録請求の範囲】
【請求項１】
下向きコの字型構造の両下端に凹部を持つホロ支持枠は、その両下端の凹部をトラックの荷台左右サイドドア運転席側上部にはめ込んでトラック荷台を跨ぐ形で架設するものであり、このホロ支持枠に被せるホロは、ホロ支持枠とトラック荷台を外側から覆うものであり、尚且つホロ前側では、ホロ支持枠上部からトラック荷台床面までを覆うものである前記記載のホロ支持枠とホロで構成するトラック用ホロシステム
(57)【要約】【目的】床ずれの予防の為より良い円座が求められていた。【構成】中に小さな空気袋を持ち外側に砂袋を持った空気袋〔効果〕床ずれ防止がみられ、皮膚に優しい。製作は簡単、安価である。【実用新案登録請求の範囲】
【請求項１】
内側に多数の小さな空気袋を持ち、外側は砂袋で包んだ空気袋よりなるニュー円座。
【考案の詳細な説明】
【産業上の利用分野】
【０００１】  環境，衛生に関するものである。
〔従来の技術〕
【０００２】  長い間床に臥している人、殊に体力の弱った人は床ずれが出来やすいのである。それは体重や手足の重みがかかっている場所に出来易いのである。その床ずれを防ぐ為に工夫されたのが円座である。
一箇所に重さが集中していると、その場所に床ずれが出来やすいので体の重さを分散して床ずれを防ごうという試みである。その為にゴム袋の中に空気をいれて腰、背中，手、足、の重さを分散させるのである。又中に綿、布、小豆、等を入れた布袋を用いていたが、本考案もその様に体の重さの分散を計り床ずれを防ごうという試みの一つである。
〔本考案が解決しようとする課題〕
【０００３】ゴム袋の中に空気を入れた円座は体の重さの分散を計る場合には良いがゴムは吸湿性がなく、体表面から出る汗や、水分の蒸発を吸収する事がなく、皮膚に悪影響を及ぼすのである。又綿や布を重ねるのは、多量のものを用いないと体の重みに負けて直ぐにペチャンコになり長くは用に耐えられないきらいがあるのである。そこで接触する皮膚にも都合が良く且つある程度の抵抗が長く続き、体重の分散が十分である様なものが求められている。
〔課題を解決する為の手段〕
【０００４】そこで体の重みの分散が十分である様に空気袋を用い、中に多数の小さな空気袋をいれて、より充分に体重の分散を計り、又直接接触をする皮膚に対しては砂嚢を用いて砂と砂との間に空気層を保ち、水分の発散を妨げぬ様にしたのである。
〔実施例〕
【０００５】先ず直径３ｃｍ位、長さ２０ｃｍ−３０ｃｍの空気袋を多数作る。次に真中に４ｃｍ位の円形の穴があけてある３０ｃｍ×４０ｃｍの大きさの袋を作るのである。そしてあらかじめ作っておいた小さな空気袋をその中に入れた後、空気を送り込むのである。次に巾３ｃｍ長さ４０ｃｍの砂袋を多数作りそれを大きな空気袋の周りに覆うのである。この平べったい枕の様な物を腰の下に敷くのである。気持ち良く体重を落とし、床ずれが出来にくい成果をみるのである。
〔考案の成果〕
【０００６】長く寝たきりで体の弱った人は、床ずれが出来やすいのである。が本考案の円座を用いると床ずれが出来にくく、治療がし易いのである。床ずれの予防効果があり病状回復に大いに役立ち、その上製作は簡単安価である。
【図面の簡単な説明】
【図１】円座斜位図
【図２】円座側面図
【図３】円座水平面図  Ａ‥‥円座  Ｂ‥‥砂嚢  Ｃ‥‥穴  Ｄ‥‥小空気袋  Ｅ‥‥大空気袋
【図１】
0003102705.tif 000002
【図２】
0003102705.tif 000003
【図３】
0003102705.tif 000004